(57)【要約】【課題】ホースの配管内への挿出入開口部での円滑な摺動については、開口部に並列される滑車状のローラによりホースの摺動移行を支持してきたが、支持面に幅がなく嵌合状態の支持となり、遊びを持たせることができず、余裕のないものとなって動きに円滑さを欠くという問題があった。【解決手段】摺動支持する洗浄ホースの径間隔を空けて対峙させ、両端を回動自在に支持した一対の円筒状のローラ１Ａ、１Ｂと２Ａ、２Ｂを上下に井桁状に重積して構成した摺動支持機構を、洗浄配管内に挿通する挿通孔と洗浄配管への覆着構造を備えた基盤上に設定するように構成した。【選択図】図１
2017101475.tif 000002
【特許請求の範囲】
【請求項１】
摺動支持する洗浄ホースの径間隔を空けて対峙させ、両端を回動自在に支持した一対の円筒状のローラを上下に井桁状に重積して構成した摺動支持機構を、洗浄配管内に挿通する挿通孔と洗浄配管への覆着構造を備えた基盤上に設定したことを特徴とする洗浄ホース送出入装置。
【請求項２】
円筒状ローラの摺動面素材にジュラコンを用いるようにした請求項１記載の洗浄ホース送出入装置。
【請求項３】
円筒状ローラをステンレス等の金属素材で構成するようにした請求項１又は請求項２記載の洗浄ホース送出入装置。
【請求項４】
基盤の洗浄配管への覆着構造を、基盤の底面に洗浄配管内に挿通する挿通孔を囲む覆着筒を設定し、洗浄配管管頂部に前記覆着筒を覆着して、その側腹に設けた締着ネジで締着するように構成した請求項１又は請求項２記載の洗浄ホース送出入装置。
【請求項５】
基盤の洗浄配管への覆着構造を、基盤の両側端縁に、両先端部に雄ネジを刻設し洗浄配管側腹に巻き回す締着バンドの両先端部をそれぞれ嵌着する嵌着凹部を形成して、該基盤を洗浄配管の側腹開口部に当接し、前記締着バンドを配管側腹に巻き回して、該締着バンドの各端部を基盤の嵌着凹部に嵌着して前記雄ネジに螺合する締着雌ネジにより締め付けるように構成した請求項１又は請求項３記載の洗浄ホース送出入装置。
【発明の詳細な説明】
【技術分野】
【０００１】
本発明は、マンション等の高層集合住宅やオフィス高層ビル等に配管された給排水管内に挿入して管内の洗浄を行う洗浄ホースを、配管内に円滑に送出入するための洗浄ホース送出入装置に関するものである。
【背景技術】
【０００２】
マンション等の高層集合住宅やオフィス高層ビル等の生活排水は、ビル内に設けられた共用排水管に排出されるが、この共用排水管は枝管の分岐部を有する立て主管と排水桝開口部に繋がる横主管から成り、排出される生活排水には多量の残滓や油脂等が含まれているため、一定期間毎に配管内の清掃、洗浄を行う必要がある。
【０００３】
このような配管についての洗浄方法としては、先端に高圧水等を噴射する洗浄ノズルを取り付けた洗浄ホースを、個々の専有配管より共用立て主管を経て汚水桝方向への屈曲部（エルボ部）付近まで挿入し、高圧水等を噴射して付着物の剥離、除去をしながら引き上げ、挿入口まで引き上げたら再び洗浄ホースを下降させて剥離、除去された汚物を洗い流す方法で下層階から順次上層階に施工していく方法が採られてきている。
【０００４】
マンション等の高層集合住宅やオフィス高層ビル等の共用排水管は、屋上等の最上階部に開口部が設定され、立て主管の途中に枝管の分岐部が設けられる場合があり、高層化、超高層化したビルの場合には洗浄ホースの長さが長大化して巻取り引き上げに強大な力が必要となり、人力では対応できなくなってきている。
【０００５】
しかし、従来の洗浄方法は、その殆どが人力によっており、多大な労力と時間を要するほか、人手作業によるため、ホースの下降速度、引き上げ速度を一定に保つことは至難の技であり、より高い洗浄効果を得る速度についても、作業者の勘と経験に頼らざるを得なかった。
【０００６】
このような、洗浄ホースの長大化に伴う巻取り引き上げ力の機械化と巻取り速度の等速化については、ホースリールの半径方向最も外側にあるホースに、ホースリールの半径方向外側から摩擦ローラを押圧し、この摩擦ローラを等速度で駆動する特許文献１記載のような手段も講じられている。
【０００７】
また、超高層化したビルの場合には洗浄ホースの長さが長大化して洗浄ホースの重力が大きくなり、洗浄ホースの下降速度、引き上げ速度に対応した部位に洗浄ノズルを保持できなくなる問題と巻取り引き上げに強大な力が必要となる問題に対応するものとして、特許文献２記載のように正逆回転可能に軸支されたドラムに洗浄ホースを１回もしくは数回巻き回し、ドラムとドラムに巻回されたホースとの間の摩擦力によって洗浄ホースが落下することなく、モータの駆動によってホースを引き上げるようにした提案もなされている。
【０００８】
洗浄ホースの長大化に伴う巻取り引き上げの問題については、洗浄ホースを配管内に挿入した後、先端の洗浄ノズルを移動させつつ、口径が８０ミリから１２５ミリ位の配管内を清掃・洗浄しなければならない。
【０００９】
そのため、挿入口において洗浄ホースの側腹部が挿入開口端縁に摺動しつつホースが移動することになり、今までは、配管内への挿出入や挿入開口部で洗浄ホースの破損や劣化が非常に早く起こっていた。そのため、ホースを早い段階で交換しなければならず、洗浄ホースの耐用年数が短いことによる無駄な費用が余りにも大きいという問題があった。
【００１０】
この問題に対応して、特許文献３は、ホース挿入穴周縁を囲む複数の送りローラ設定部材を覆着構造に備えた基盤を、ホース挿入口上端縁や配管外周の横方向開口部口縁に覆着することで、洗浄ホースを長持ちさせるという提案を行っている。
【先行技術文献】
【特許文献】
【００１１】
【特許文献１】特開昭６３−１５４５９２号公報
【特許文献２】特許第３６９４２４３号公報
【特許文献３】特許第５７１１７８２号公報
【発明の概要】
【発明が解決しようとする課題】
【００１２】
ホースの配管内への挿出入や挿入開口部での円滑な摺動については、本願出願人による前記特許文献３による提案がなされているが、洗浄ホースを挿入開口部に支持するローラ面が滑車の周面となっているため、支持を安定させるためには多数の滑車ローラが必要となるうえ、支持面がずれるとローラが外れたり、支持されるホース周面とローラ面が噛み合わなくなったりする問題がある。
【００１３】
また、ホース周面を支持する支持面が同一平面に並列される滑車状の回転面であることにより、支持面に幅がなく余裕のない嵌合状態の支持となり、ホースの摺動移行に遊びを持たせることができず、余裕のない摺動移行となって動きに円滑さを欠くという問題がある。
【課題を解決するための手段】
【００１４】
本発明は上記した課題に対応しようとするものであり、摺動支持する洗浄ホースの径間隔を空けて対峙させ、両端を回動自在に支持した一対の円筒状のローラを上下に井桁状に重積して構成した摺動支持機構を、覆着構造に備えた基盤上に設定するように構成した。
【００１５】
この構成により、配管内に送出入される洗浄ホースは、摺動支持される周面が挿入口においては左右にフリー状態で支持され、その奥では上下にフリー状態で支持されることにより、位置的にはしっかりと固定されると共に、奥行きのある余裕を持った摺動移行支持力を得ることができたものである。
【００１６】
また、円筒状ローラの側腹によって支持されるので、摺動移行するホースが左右にぶれても支持を外れることは有り得ないので、移送時に発生するホースの波動を完全に吸収することができる。
【００１７】
更に、摺動支持機構が設定される基盤は、管頂部に開口する大径の立て主管の開口部に対応する管頂部への覆着機構と、側腹開口の立て主管に対応する側腹開口部への覆着機構に、基本的な構造を変えることなく、それぞれ対応し得るように中央部に挿通孔を開口した平板状にして、鈎の手に屈曲した支着部材の立ち上がり部を対峙させて、２本の円筒状ローラの両端をそれぞれ支着して基盤に締着するようにした。
【００１８】
この構成により、支着部材立ち上がり部の高さに段差を付けるだけで十字状に交差させた円筒状ローラの摺動支持機構を構築することができ、単純な構造により、作業効率も良く、堅牢な製品の製造を可能にした。
【００１９】
洗浄ホースの送出入は、配管への送出入開口部の設定環境により、前記のように管頂部への覆着と配管側腹開口部への覆着があると共に、洗浄ホース径の大小により接触ローラ面とホース側腹の摺動支持力のバランスが異なってくるため、本件発明においては管頂部への覆着の場合には円筒状ローラ面の素材をジュラコンで構成することによりホース側腹を接触面でバランス良く捉え、滑り過ぎや触圧による引っ掛かりによる、滑らかな摺動移行が害されないように構成した。
【００２０】
一方、配管側腹開口部への覆着の場合には、ホース側腹の重力がローラ面に掛かるため、金属製の円筒状ローラを用いるようにし、支持力の調整を図るようにした。
【発明の効果】
【００２１】
本発明は、以上のように構成したので、配管内に送出入される洗浄ホースにおいて、摺動支持されるホース周面が挿入口においては左右にフリー状態で支持され、その奥では上下にフリー状態で支持されることにより、位置的にはしっかりと固定されると共に、奥行きのある余裕を持った摺動移行支持力を得ることができたものである。
【００２２】
また、支着部材立ち上がり部の高さに段差を付けるだけで十字状に交差させた円筒状ローラの摺動支持機構を構築することができ、単純な構造により、作業効率も良く、構造的にも堅牢な製品の製造を可能にした。
【図面の簡単な説明】
【００２３】
【図１】本発明の実施例を示すもので、本発明によるホース送出入装置を配管のホース挿入開口部である配管管頂部に覆着した状態における全体斜視図。
【図２】同じく、基盤上に設定された円筒状ローラの重積の関係と基盤と覆着配管の関係を示すホース送出入装置の平面図。
【図３】同じく、下段ローラ設定部の上部に設定された上段ローラの支着状況を示すホース送出入装置の正面図。
【図４】同じく、基盤上に設定された円筒状ローラの重積の関係と上下段ローラの支着状況を示すホース送出入装置の右側面図。
【図５】同じく、本発明によるホース送出入装置使用の一例を示すもので、ホース挿入開口部が配管の側腹部に所在する場合の、他の実施例によるホース送出入装置を覆着した状態における全体斜視図。
【図６】同じく、図５の使用実施例における配管への覆着に使用する締着バンドの実施例を示す締着バンドの全体斜視図。
【図７】同じく、図５の使用実施例における基盤上に設定された円筒状ローラの重積の関係と基盤と覆着配管の関係を示す他の実施例によるホース送出入装置の正面図。
【図８】同じく、図５の使用実施例における、下段ローラ設定部の上部に設定された上段ローラの支着状況を示す他の実施例によるホース送出入装置の図７におけるＡ−Ａ断面による右側面図。
【発明を実施するための形態】
【００２４】
以下、図面に基づいて本発明の実施の形態を説明する。１Ａ、１Ｂは円筒状ローラで、鈎の手に屈曲した支着部材２1Ａの立ち上がり部２１ａと、これに対向する支着部材２１Ｂの立ち上がり部２１ｂに両端を、それぞれ回動自在に支着された一対が、摺動支持する洗浄ホースの径間隔を空けて対峙された状態で支着部材２１Ａ、２１Ｂの締着部２２により、基盤４の中央部に開口するホース挿通孔４１を挟んで、その両端に下段ローラとして固締される。
【００２５】
２Ａ、２Ｂは、円筒状ローラ１Ａ、１Ｂによる下段ローラの上段に設定され、下段ローラと井桁十字状に交差して設定される円筒状ローラで、同じく鈎の手に屈曲した支着部材３Ａ、３Ｂの、下段ローラの立ち上がり部２１ａ、２１ｂの上段部に円筒状ローラの回動支着部を設定する高さの立ち上がり部３１ａと、これに対向する支着部材３Ｂの立ち上がり部３１ｂに、両端を、摺動支持する洗浄ホースの径間隔を空けて対峙された状態で回動自在に支着される。
【００２６】
支着部材３Ａ、３Ｂは、その締着部３２により、基盤４の中央部に開口するホース挿通孔４１を挟んで、下段ローラの設定部位に対して井桁十字状に交差する部位に固締される。
【００２７】
基盤４の下面には、中央部に開口するホース挿通孔４１を囲む形で、ホース挿入開口部である配管管頂部Ｐに覆着する覆着筒５が接合され、その側腹には覆着時に管頂部側腹部に締着する締着ネジ５１が設定されている。これによって、ホース送出入装置は配管管頂部Ｐに覆着筒５を覆着して締着ネジ５１で締着するだけで装備することができる。
【００２８】
図５は、ホース挿入開口部である配管の側腹開口部に、装着して同開口部から洗浄ホースを送出入する装着についての他の実施例を示すもので、配管管頂部から垂直方向への送出入と異なり側方から洗浄ホースが送出入されるので、円筒状ローラ１Ａ、１Ｂ、２Ａ、２Ｂは何れも金属製のものが用いられるが、摺動支持機構の構成自体は垂直方向への送出入の場合と同一である。
【００２９】
しかし、配管の側腹開口部に装着されるので、基盤４aは配管の側腹開口部に当接される矩形状のものとなり、中央部にホース挿通孔４１ａが開口し、上下端縁に装着配管に締着するための締着バンド６、６の端部６ａ、６ａが嵌着される嵌着凹部４１ｂ、４１ｂが設定される。
【００３０】
配管側腹開口部への装着は、基盤４aを配管の側腹開口部に当接し、締着バンド６を配管側腹に巻き回して、その端部６ａ、６ａを嵌着凹部４１ｂ、４１ｂにそれぞれ嵌着し、締着ネジにより締め付け、配管に締着固定するものである。即ち、締着バンド６の両端部６ａ、６ａには、それぞれ雄ネジ６ｂ、６ｂが刻設され、嵌着凹部４１ｂを挿通した頭部に蝶ネジ６ｄが螺合して基盤４aの両側表面から配管胴部を基盤４aを介して締め付け固定するものである。
【００３１】
本願発明による洗浄ホース送出入装置の作用について説明すると、洗浄ホースは例えばポリエステルチューブにケプラ及びステンレスワイヤー等で編み上げ外装されたものがジェット洗浄車に積載された油圧リールに巻回されて現場に搬送され、排水管洗浄機に差し回されて排水管等のホース送出入開口部に挿入され配管内に繰り出されることになる。
【００３２】
ホース送出入開口部が配管管頂部にあり、洗浄ホースが垂直方向に送出入される場合、ホースは自重により上段に設定された円筒状ローラ２Ａ、２Ｂの間を挿通し、更に、下段ローラを構成する円筒状ローラ１Ａ、１Ｂの間を挿通してホース挿通孔４１から配管内に繰り出される。
【００３３】
この場合、洗浄ホースは適度な摺動支持力によって支持されながら下降しなければ、ホースの繰り出しと洗浄作動とのバランスが維持できない。上下に設定された円筒状ローラの送り回動はこのバランスを補完するが、垂直方向への送出入の場合には円筒状ローラの素材にジュラコンを用いることによりホース側腹とジュラコンの接面摩擦により垂直方向への送出について適度な摺動支持力を得ることができた。
【００３４】
配管側腹開口部がホース挿入口となる場合には、ホースは配管に対して屈曲して繰り出し挿入されることになるため、円筒状ローラ１Ａ、１Ｂ、２Ａ、２Ｂは支持力が比較的洗浄ホース側腹を捉え易いステンレスをローラ面の素材として構成するようにする。
【産業上の利用可能性】
【００３５】
本発明に係るホース送出入装置は、上記のように構成したので、配管管頂部に覆着筒を覆着して締着ネジで締着し、或いは、基盤を配管の側腹開口部に当接し、締着バンドを配管側腹に巻き回して、その端部を基盤の嵌着部に嵌着して締着ネジにより締め付けるだけで装備でき、配管等に送出入されるホースは、摺動支持される周面が挿入口においては左右にフリー状態で支持され、その奥では上下にフリー状態で支持されることにより、位置的にはしっかりと固定されると共に、奥行きのある余裕を持った摺動移行支持力を得ることができるので、給排水管の洗浄を始めホース送出入を必要とする施工産業に広く利用することができる。
【符号の説明】
【００３６】
１Ａ、１Ｂ      下段の円筒状ローラ
２Ａ、２Ｂ      上段の円筒状ローラ
２１Ａ、２１Ｂ  下段ローラの支着部材
２１ａ、２１ｂ  下段ローラ端部支着部材の立ち上がり部
２２            下段ローラ端部支着部材の締着部
３Ａ、３Ｂ      上段ローラの支着部材
３１ａ、３１ｂ  上段ローラ支着部材の立ち上がり部
３２            上段ローラ支着部材の締着部
４              配管管頂部覆着用基板
４ａ            配管の側腹開口部覆着用基板
４１            管頂開口部配管へのホース挿通孔
４１ａ          側腹開口部配管へのホース挿通口
４１ｂ          側腹開口部覆着用基板の締着バンド嵌着凹部
５              配管管頂部覆着用覆着筒
５１            覆着筒締着ネジ
６              配管の側腹開口部覆着用締着バンド
６ａ            締着バンドの嵌着端部
６ｂ            締着バンド端部に刻設される雄ネジ
６ｄ            締着バンド端部雄ネジに螺合する蝶螺子
Ｐ              配管管頂部
【図１】
2017101475.tif 000003
【図２】
2017101475.tif 000004
【図３】
2017101475.tif 000005
【図４】
2017101475.tif 000006
【図５】
2017101475.tif 000007
【図６】
2017101475.tif 000008
【図７】
2017101475.tif 000009
【図８】
2017101475.tif 000010